(57)【特許請求の範囲】
【請求項１】
ケースにこのケースが備える透視部材と対向する表示盤を有するムーブメントが収容されているとともに、前記ケースが備える胴に前記ケースが備える縁部材が引き込み機構で取付けられている時計において、
前記縁部材が、前記胴の外部に配置されるとともに前記透視部材が支持された縁部と、前記胴の内部に配置されて前記表示盤の周部に接触し前記ケースの正面側から前記表示盤を支持して前記表示盤の表示径を規定する円筒部と、この円筒部の外周に設けられた受け部又は前記円筒部から前記ケースの背面側に向けて突設された受け部とを有し、
前記引き込み機構が、前記表示盤の背面と対向して前記胴の内部に配置された板部、及びこの板部の周部に形成されて前記受け部に前記ケースの正面側から引っ掛かる係合部を有する引き込み部材と、前記表示盤の外周より内側で前記引き込み部材に前記ケースの背面側から取外し可能に螺合された引き込み用のねじ手段とを備える
ことを特徴とする時計。
【請求項２】
前記円筒部の内周面が前記表示盤と直角に連続されていることを特徴とする請求項１に記載の時計。
【請求項３】
前記係合部が、前記板部の外周から前記ケースの正面側に向けて突出されていて、前記胴の内周面と前記表示盤の外周との間に配置された係合部ベースと、この係合部ベースに形成されていて、前記円筒部の外周に設けられた前記受け部に引っ掛かった引っ掛け部位とを有することを特徴とする請求項１又は２に記載の時計。
【請求項４】
前記受け部が前記円筒部の周方向に間隔的に複数設けられ、前記係合部が前記板部の外周に間隔的にかつ前記受け部と同数設けられ、前記引っ掛け部位が、前記円筒部の周方向に隣接された前記受け部の間に形成された凹部を通過可能で、かつ、前記凹部からずれた状態で前記受け部に引っ掛かっていることを特徴とする請求項３に記載の時計。
【請求項５】
複数の前記受け部が、前記引っ掛け部位とほぼ同じ幅で前記ケースの正面側に向けて開放された係合溝を、前記凹部に対し前記縁部材の周方向にずれた位置に有しており、前記引っ掛け部位が、前記係合溝に前記ケースの正面側から嵌合された状態で前記受け部に引っ掛かっていることを特徴とする請求項４に記載の時計。
【請求項６】
前記円筒部から前記胴の背面側に向けて突設された前記受け部が、前記胴の内周面と前記表示盤の外周との間に配置された受け部ベースと、この受け部ベースに形成されて前記板部の周部に形成された前記係合部を前記ケースの背面側から受ける係止部位とを有することを特徴とする請求項１又は２に記載の時計。
【請求項７】
前記受け部が前記円筒部の周方向に間隔的に複数設けられ、前記係合部が前記板部の外周に間隔的にかつ前記受け部と同数設けられ、前記係止部位が、前記板部の周方向に隣接された前記係合部の間に形成された凹部を通過可能で、かつ、前記凹部からずれた状態で前記ケースの背面側から前記係合部を受けていることを特徴とする請求項６に記載の時計。
【請求項８】
前記ねじ手段が前記板部に螺合されたねじであることを特徴とする請求項１〜７のうちのいずれか一項に記載の時計。
【請求項９】
前記ねじの全体が前記胴の内部に配置されているとともに、前記胴に取付けられた前記ケースの裏蓋で、前記ねじが覆い隠されていることを特徴とする請求項８に記載の時計。
【請求項１０】
前記ケースが前記胴に前記ケースの背面側から接触して配置された裏蓋を備え、
前記板部から前記ケースの背面方向に突出されかつ内周面に雌ねじ部が形成されていて前記胴に対し回り止めされた環状筒部を、前記引き込み部材が更に有しており、
前記ねじ手段は、前記裏蓋に形成されていて、前記雌ねじ部に螺合される雄ねじ部であることを特徴とする請求項１〜７のうちのいずれか一項に記載の時計。
【請求項１１】
前記円筒部の外周に設けられた前記受け部と前記引き込み部材に設けられた前記引っ掛け部位との夫々が、前記ケースの厚み方向に複数形成されていて互いに引っ掛かっていることを特徴とする請求項３に記載の時計。
【請求項１２】
前記ねじの頭部が前記ケースの背面に露出されていることを特徴とする請求項８に記載の時計。
【発明の詳細な説明】
【技術分野】
【０００１】
本発明は、例えば腕時計や懐中時計のような携帯時計、置き時計、壁掛け時計等の時計に関する。
【背景技術】
【０００２】
腕時計等において、文字盤に対向する透視部材（通常はガラス）が支持された縁部材を、ケースの胴に取付ける構成は、種々知られている。
第１の例では、胴に形成されているとともに内周が円形の縁部材取付け部で囲まれた内部に、縁部材の一部からなり外周が円形をなす挿入部がケースの正面側から挿入されていて、挿入部と縁部材取付け部との間に、軟質プラスチック製のリングがケースの径方向に圧縮された状態に挟まれている。それにより、リングを介して縁部材が胴に取付けられている。この取付け状態で、透視部材を支持した縁部材の縁部は、ケースの正面側から縁部材取付け部に接触された状態で縁部材取付け部を覆っている。
【０００３】
第２の例では、胴に形成されているとともに内周が円形の縁部材取付け部で囲まれた内部に、縁部材の一部からなり外周が円形をなす挿入部がケースの正面側から圧入されていて、縁部材取付け部にその内周面に開放して形成された係合溝と、縁部材の挿入部にその外周面から突設された係合突起とが、引っ掛かった状態に係合されている。それにより、縁部材取付け部が透視部材を支持した縁部材の縁部と係合突起とで挟まれた状態で、縁部材が胴に取付けられている。この取付け状態で、縁部材の縁部は、ケースの正面側から縁部材取付け部に接触された状態で縁部材取付け部を覆っている。
【０００４】
第３の例では、胴に形成されているとともに内周が円形の縁部材取付け部の内周面、及び縁部材の一部からなり外周が円形をなしていて胴の縁部材取付け部で囲まれた内部に挿入された挿入部の外周面の夫々が、ケースの正面側ほど径が小さくなる斜面で形成されている。そして、挿入部は縁部材取付け部で囲まれた内部に圧入されている。それにより、縁部材取付け部の内周面と挿入部の外周面とが接触された状態で縁部材が胴に取付けられている。この取付け状態で、透視部材を支持した縁部材の縁部は、ケースの正面側から縁部材取付け部に接触された状態で縁部材取付け部を覆っている。
【０００５】
時計を製造する場合の補正や時計のメンテナンスをする場合等において、縁部材は胴から外されることがある。この場合、前記第１〜第３の例では、縁部材取付け部とこれを覆った縁部材の縁部との間に工具を差し込み、この工具をこじることで、縁部材が外される。そのため、縁部材をこじ開ける操作に伴い胴及び縁部材に傷が付くことがある。
【０００６】
更に、前記第１〜第３の例では、胴の縁部材取付け部で囲まれた内部に縁部材の挿入部を挿入または圧入する操作で胴に縁部材が取付けられる場合にも、既述のように胴から縁部材が外される場合にも、縁部に応力が作用することは免れない。このため、接着剤を用いて縁部材の縁部に透視部材が支持された構成では、前記応力を原因として接着剤剥がれを生じる虞がある。これに対処するためには、縁部材の縁部と透視部材との間に軟質プラスチックを介在させて、透視部材を縁部に支持させる構成を採用する必要があるので、透視部材を支持するための設計の自由度が低い。
【０００７】
加えて、前記第３の例では、縁部材の胴への着脱が繰り返される場合に、縁部材取付け部の内周面と縁部材の挿入部の外周面との双方が干渉して削れる可能性が高い。そのために、胴に対して縁部材を適正な状態に取付けるための再現性が低い。
【０００８】
一方、以上説明した種々の不具合を生じない腕時計が知られている（例えば、特許文献１参照。）。
この腕時計において、透視部材が支持された縁部材にはその縁部に達するねじ穴が形成され、針と文字盤付きのムーブメントが収容された胴には、縁部材のねじ穴に連通するねじ逃げ孔が形成されている。そして、防水パッキンが縁部材の縁部とこの縁部で覆われる胴の縁部材取付け部との間に配置された状態で、ねじ逃げ孔に胴の背面（裏面）からねじ穴に向けて挿入されたねじが、縁部のねじ穴にねじ込まれている。このねじの締め込みによって、縁部材がケースの正面側から背面側に向けて引き寄せられ、縁部材が胴に取付けられていて、縁部材の縁部はケースの正面側から縁部材取付け部に接触された状態で縁部材取付け部を覆っている。
【先行技術文献】
【特許文献】
【０００９】
【特許文献１】特開2002−189084号公報
【発明の概要】
【発明が解決しようとする課題】
【００１０】
透視部材が支持された縁部材が有する挿入部は、透視部材に対向して胴の内部に配置された文字盤の表示径を規定している。ここで、文字盤の表示径は、縁部材で支持されてこの縁部材で覆われた文字盤の周部を除く文字盤領域の径、言い換えれば、透視部材を通して見ることができる文字盤領域の径であって、文字盤の外径より小さい。
【００１１】
前記のように表示径が規定されることにより、縁部材の幅、取分け縁部の幅が大きいと、ケースのサイズが規定されている場合、文字盤の表示径が小さくなるとともに、文字盤の表示径が規定されている場合、ケースのサイズが大きくなる。
【００１２】
近年の高齢化社会の進行に伴い、文字盤の表示径を大きくすることの要請がある。この場合、人の腕のサイズは昔も今も変化していないので、例えば腕時計においては、ケースのサイズが大きくなることを抑制しつつ、文字盤の表示径を大きくすることが望まれている。
【００１３】
しかし、特許文献１に記載の腕時計は、文字盤の外周より外側に、縁部材を胴に固定するためのねじが配置されており、このねじが通るねじ逃げ孔に合わせて、ねじ穴が縁部材の縁部に設けられている。このように縁部がねじ穴を有している特許文献１に記載の腕時計は、その縁部材の幅が大きい。したがって、特許文献１に記載の腕時計では、既述の要請を満たすことはできない、という課題がある。
【００１４】
本発明の目的は、透視部材を支持して胴に取付けられた縁部材の幅が狭い時計を提供することにある。
【課題を解決するための手段】
【００１５】
前記課題を解決するために、本発明は、ケースにこのケースが備える透視部材と対向する表示盤を有するムーブメントが収容されているとともに、前記ケースが備える胴に前記ケースが備える縁部材が引き込み機構で取付けられている時計において、前記縁部材が、前記胴の外部に配置されるとともに前記透視部材が支持された縁部と、前記胴の内部に配置されて前記表示盤の周部に接触し前記ケースの正面側から前記表示盤を支持して前記表示盤の表示径を規定する円筒部と、この円筒部の外周に設けられた受け部又は前記円筒部から前記ケースの背面側に向けて突設された受け部とを有し、前記引き込み機構が、前記表示盤の背面と対向して前記胴の内部に配置された板部、及びこの板部の周部に形成されて前記受け部に前記ケースの正面側から引っ掛かる係合部を有する引き込み部材と、前記表示盤の外周より内側で前記引き込み部材に前記ケースの背面側から取外し可能に螺合された引き込み用のねじ手段とを備えることを特徴としている。
【００１６】
本発明に係る時計によれば、縁部材の受け部に引き込み部材の係合部がケースの正面側から引っ掛かっている。このため、引き込み機構のねじ手段の締め付けに伴い縁部材に波及する引き込み作用により、透視部材が支持された縁部材が、その縁部で胴をケースの正面側から覆って胴に取付けられている。引き込み機構のねじ手段をケースの背面側から緩めて引き込み部材から外すことにより、縁部材の受け部と引き込み部材の係合部との引っ掛かりを外すことが可能である。そのため、メンテナンスの際などにおいて、縁部材を胴からケースの正面側に外すことが可能となる。
【００１７】
縁部材が胴に取付けられた状態で、縁部材を胴に取付ける引き込み機構と縁部材の受け部は縁部材の縁部に対してケースの背面側に配置され、更に引き込み機構が有する引き込み部材の板部は表示盤の背面と対向して配置されているとともに、引き込み機構が有するねじ手段は表示盤の外周より内側に配置されている。この構成によれば、ねじ手段が表示盤の外周より外側に配置されていないことに伴い、縁部材の縁部にねじ手段を受けるねじ穴を設ける必要がない。したがって、透視部材が支持された縁部材の幅を狭くできる。
【００１８】
本発明に係る時計の好ましい形態は、更に、前記円筒部の内周面が前記文字盤と直角に連続されていることを特徴としている。
この好ましい形態によれば、円筒部のケースの正面側開口径が同じである条件において、円筒部の内周面がケースの背面側ほど径が次第に小さくなる構成と比較して、表示盤の表示径をより大きく確保できる。
【００１９】
本発明に係る時計の好ましい形態は、更に、前記係合部が、前記板部の外周から前記ケースの正面側に向けて突出されていて、前記胴の内周面と前記表示盤の外周との間に配置された係合部ベースと、この係合部ベースに形成されていて、前記円筒部の外周に設けられた前記受け部に引っ掛かった引っ掛け部位とを有することを特徴としている。
この好ましい形態によれば、引き込み部材が有する係合部の係合部ベースが、胴の内周面と表示盤の外周との間に配置されていることで、係合部の引っ掛け部位が円筒部の外周に設けられた受け部にケースの正面側から引っ掛けられた状態が、表示盤に対してケースの正面側に形成される。それにより、ねじ手段の締め付けに伴い縁部材を胴に取付けることができるので、縁部材の縁部にねじ手段を受けるねじ穴を設ける必要がない。したがって、透視部材が支持された縁部材の幅を狭くできる。
【００２０】
本発明に係る時計の好ましい形態は、更に、前記受け部が前記円筒部の周方向に間隔的に複数設けられ、前記係合部が前記板部の外周に間隔的にかつ前記受け部と同数設けられ、前記引っ掛け部位が、前記円筒部の周方向に隣接された前記受け部の間に形成された凹部を通過可能で、かつ、前記凹部からずれた状態で前記受け部に引っ掛かっていることを特徴としている。
この好ましい形態によれば、係合部の引っ掛け部位と円筒部の外周に設けられた受け部との引っ掛かりが文字盤に対してケースの正面側に配設された構成において、胴の内周面と表示盤の外周との間に配置された係合部ベースに形成された引っ掛け部位が、円筒部の凹部に通された状態で、縁部材と引き込み部材との周方向の相対位置を変えることで、引っ掛け部位が受け部にケースの正面側から引っ掛かり得る状態とすることができる。そのため、ねじ手段の締め付けにより縁部材を胴に取付けることができる。
【００２１】
ここで、凹部に対する引っ掛け部位の通過と、縁部材と引き込み部材との相対位置を周方向に変えるには、引き込み部材、表示盤を有するムーブメント、透視部材が支持された縁部材等を、この記載順に、胴に順次組付けながら行うことも可能であるが、引き込み部材、表示盤を有するムーブメント、透視部材が支持された縁部材等を、胴の外部で組立てるときに行うことが好ましい。そして、後者の場合は、引き込み部材、表示盤を有するムーブメント、透視部材が支持された縁部材等が組立てられて、引っ掛け部位と受け部とが引っ掛り得る状態となったアセンブリが形成されるので、このアセンブリをねじ手段によって胴に組付けることが可能である。
【００２２】
本発明に係る時計の好ましい形態は、更に、複数の前記受け部が、前記引っ掛け部位とほぼ同じ幅で前記ケースの正面側に向けて開放された係合溝を、前記凹部に対し前記縁部材の周方向にずれた位置に有しており、前記引っ掛け部位が、前記係合溝に前記ケースの正面側から嵌合された状態で前記受け部に引っ掛かっていることを特徴としている。
この好ましい形態によれば、受け部が有する係合溝に引っ掛け部位が嵌合された状態で、引っ掛け部位と受け部とが引っ掛かっているので、引き込み機構により胴に取付けられた縁部材をその周方向に不用意に動かないように保持できる。このため、縁部材の縁部にマークなどの表示が付された時計の場合、マークなどの表示位置が所定の位置からずれることを防止することが可能である。これとともに、既述のアセンブリを採用し、それを胴にねじ手段で固定する場合に、前記回り止めにより引っ掛け部位と受け部とが引っ掛かりが保持されることで、縁部材と引き込み部材とが適正に位置決めされた状態のアセンブリを、胴にねじ手段で固定することができる。
【００２３】
本発明に係る時計の好ましい形態は、更に、前記円筒部から前記胴の背面側に向けて突設された前記受け部が、前記胴の内周面と前記表示盤の外周との間に配置された受け部ベースと、この受け部ベースに形成されて前記板部の周部に形成された前記係合部を前記ケースの背面側から受ける係止部位とを有することを特徴としている。
この好ましい形態によれば、円筒部から前記胴の背面側に向けて突設された受け部の受け部ベースが、胴の内周面と表示盤の外周との間に配置される。そのため、引き込み部材が備える板部の周部に形成された係合部が、受け部の係止部位にケースの正面側から引っ掛けられた状態が、表示盤に対してケースの背面側に形成される。それにより、ねじ手段の締め付けに伴い縁部材を胴に取付けることができるので、縁部材の縁部にねじ手段を受けるねじ穴を設ける必要がない。したがって、透視部材が支持された縁部材の幅を狭くできる。
【００２４】
本発明に係る時計の好ましい形態は、更に、前記受け部が前記円筒部の周方向に間隔的に複数設けられ、前記係合部が前記板部の外周に間隔的にかつ前記受け部と同数設けられ、前記受け部が、前記板部の周方向に隣接された前記係合部の間に形成された凹部を通過可能で、かつ、前記凹部からずれた状態で前記ケースの背面側から前記係合部を受けていることを特徴としている。
この好ましい形態によれば、円筒部から前記胴の背面側に向けて突設された受け部の係止部位に板部の係合部がケースの正面側から引っ掛かった状態が、表示盤に対してケースの背面側に配設された構成において、胴の内周面と表示盤の外周との間に配置された受け部ベースに形成された係止部位が、板部の隣接した係合部の間の凹部に通された状態で、縁部材と引き込み部材との周方向の相対位置を変えることで、係合部と係止部位とがケースの厚み方向に引っ掛かり得る状態とすることができる。そのため、ケースの背面側からのねじ手段の締め付けにより縁部材を胴に取付けることができる。
【００２５】
ここで、引き込み部材が有する凹部に縁部材の受け部を通過させることと、縁部材と引き込み部材との相対位置を周方向に変えるには、引き込み部材、表示盤を有するムーブメント、透視部材が支持された縁部材を、この記載順に、胴に順次組付けながら行うことも可能であるが、引き込み部材、表示盤を有するムーブメント、透視部材が支持された縁部材を、胴の外部で組立てるときに行うことが好ましい。そして、後者の場合は、引き込み部材、表示盤を有するムーブメント、透視部材が支持された縁部材が組立てられて、引き込み部材が有する引っ掛け部位と受け部の係止部位との引っ掛り得る状態となったアセンブリが形成されるので、このアセンブリをねじ手段によって胴に組付けることが可能である。
【００２６】
本発明の時計の好ましい形態は、前記ねじ手段が前記板部に螺合されたねじであることを特徴としている。
この好ましい形態によれば、更に、ねじ手段として、低コストの汎用ねじを用いることができる。
【００２７】
本発明の時計の好ましい形態は、更に、前記ねじの全体が前記胴の内部に配置されているとともに、前記胴に取付けられた前記ケースの裏蓋で、前記ねじが覆い隠されていることを特徴としている。
この好ましい形態によれば、ねじがケースの裏蓋で覆い隠されているので、ケース背面の体裁が良い。これとともに、ケースの裏蓋にねじを通るための孔開け加工を要することがなく、それに伴い裏蓋を通る水の浸入経路が形成されない点でも好ましい。
【００２８】
本発明の時計の好ましい形態は、更に、前記ケースが前記胴に前記ケースの背面側から接触して配置された裏蓋を備え、前記板部から前記ケースの背面方向に突出されかつ内周面に雌ねじ部が形成されていて前記胴に対し回り止めされた環状筒部を、前記引き込み部材が更に有しており、前記ねじ手段は、前記裏蓋に形成されていて、前記雌ねじ部に螺合される雄ねじ部であることを特徴されていることを特徴としている。
この好ましい形態によれば、引き込み部材が胴に対し回り止めされていて、この引き込み部材が有した環状筒部の雌ねじ部に、裏蓋に形成された雄ねじ部がねじ込まれている。それにより、裏蓋がケースの背面側から胴に接触された状態に取付けられているとともに、引き込み部材を介して胴に縁部材が取付けられている。したがって、裏蓋の雄ねじ部がねじ手段を兼ねるので、部品点数を削減できる。
【００２９】
本発明の時計の好ましい形態は、更に、前記円筒部の外周に設けられた前記受け部と前記引き込み部材に設けられた前記引っ掛け部位との夫々が、前記ケースの厚み方向に複数形成されていて互いに引っ掛かっていることを特徴としている。この好ましい形態において、受け部を雄ねじ部で形成し、かつ、引っ掛け部位を雌ねじ部で形成することができる他、複数の受け部と引っ掛け部位の夫々を凹凸部で形成し、かつ、周方向に隣接する受け部の間に凹部を設けて実施することが可能である。
この好ましい形態によれば、ケースの厚み方向の複数個所で受け部と引っ掛け部位とが実質的に引っ掛かっている。このため、受け部と引っ掛け部位との出幅が小さい場合であっても、受け部と引っ掛け部位との引っ掛かりの信頼性が高められて、引き込み機構による胴への縁部材の取付けをより確実にできる。
【００３０】
本発明の時計の好ましい形態は、更に、前記ねじの頭部が前記ケースの背面に露出されていることを特徴としている。
この好ましい形態によれば、ねじの頭部がケースで覆い隠されておらず、ケースの背面の所定位置にねじの頭部があるか否かを視認できる。それにより、検品作業等でのねじの取付け忘れの確認が容易である。
【発明の効果】
【００３１】
本発明によれば、透視部材を支持して胴に取付けられた縁部材の幅が狭い時計を提供できる、という効果がある。
【図面の簡単な説明】
【００３２】
【図１】本発明の第１の実施の形態に係る腕時計を示す斜視図である。
【図２】図１の腕時計の一部を示す断面図である。
【図３】第１の腕時計の胴に取付けられるアセンブリを示す斜視図である。
【図４】図３に示したアセンブリを分解して示す斜視図である。
【図５】図１に示された腕時計を分解して示す斜視図である。
【図６】本発明の第２の実施の形態に係る腕時計の一部を示す断面図である。
【図７】第２の実施の形態に係る腕時計の胴に取付けられるアセンブリをその一部が切り欠かれた状態で示す斜視図である。
【図８】図７に示したアセンブリを分解して示す斜視図である。
【図９】第２の実施の形態に係る腕時計を分解して示す斜視図である。
【図１０】本発明の第３の実施の形態に係る腕時計の一部を示す断面図である。
【図１１】第３の実施の形態に係る腕時計の胴に取付けられるアセンブリを示す斜視図である。
【図１２】図１１に示したアセンブリを分解して示す斜視図である。
【図１３】第３の実施の形態に係る腕時計を分解して示す斜視図である。
【図１４】本発明の第４の実施の形態に係る腕時計の一部を示す断面図である。
【図１５】本発明の第５の実施の形態に係る腕時計の一部を示す断面図である。
【発明を実施するための形態】
【００３３】
本発明の第１の実施の形態を図１〜図５を参照して説明する。
図１、図２、図５中符号１１は、時計例えば携帯時計具体的には腕時計を示している。腕時計１１はその外装をなすケース１２を備えている。
図１、図２に示すようにケース１２は、胴１３と、縁部材２１と、透視部材２６と、裏蓋３１とを備えている。
【００３４】
胴１３は、一体品であり、ステンレス鋼やチタンなどの金属製であることが好ましいが、合成樹脂製であってもよい。胴１３の厚み方向両面は夫々開放されている。胴１３は、図２に示すように周方向に切れ目なく連続する平坦面からなる円環形の縁受け面１３ａと、同じく周方向に切れ目なく連続する平坦面からなる円環形の蓋受け面１３ｂとを有している。縁受け面１３ａは、ケース１２の正面側に位置された胴１３の厚み方向の一端面で形成されている。
【００３５】
図２に示すように胴１３の厚み方向の他端部側に胴底部１４が設けられている。この胴底部１４は、胴１３の内部に向けて一体に突出されていて、図５に示すように周方向に切れ目なく連続して形成されている。蓋受け面１３ｂは、ケース１２の背面側に位置されていて、例えば胴１３の厚み方向の他端面を兼ねた胴底部１４の背面で形成されている。
【００３６】
胴底部１４は、通孔１５と、係止溝１６と、パッキン溝１７を有している。
通孔１５は、胴底部１４の内周側部位の複数個所、例えば図５に例示するように４か所に、前記内周側部位をその厚み方向に貫通して設けられている。これらの通孔１５は、胴１３の周方向に間隔的に設けられ、好ましくは等間隔に設けられていることが好ましい。
【００３７】
係止溝１６は、胴底部１４の根元側部位に対し図５に示すように胴１３の周方向に間隔的に設けられていて、いずれも胴１３の内部に開放された形態の溝で形成されている。
パッキン溝１７は、前記根元側部位において蓋受け面１３ｂに開放する形態で周方向に切れ目なく連続して設けられていて、そこにゴム等の弾性を有するシール材料で形成された円環形の防水パッキン１８が嵌め込まれている。
【００３８】
胴１３はその外周面から一体に突出された連結凸部１９を有している。時計の３時−９時方向に対向されて対をなした連結凸部１９に、図示しないバンドやベルトなどの腕装着用部材が連結されるようになっている。更に、図５に示すように胴１３にはその径方向に貫通して巻真通孔２０が形成されている。
【００３９】
図２等に示すようにケース１２の縁部材２１は、縁部２２と、円筒部２３と、受け部２４とを有している。この縁部材２１は、一体品であり、ステンレス鋼やチタンなどの金属製であることが好ましいが、合成樹脂製であってもよい。
【００４０】
縁部２２は、胴１３の外部に配置されて、胴１３の縁受け面１３ａに被さる部分である。この縁部２２の裏面に周方向に切れ目なく連続するパッキン溝２２ａが形成されていて、そこにゴム等の弾性を有するシール材料で形成された円環形の防水パッキン２５が嵌め込まれている。
【００４１】
円筒部２３は、縁部２２の内周側裏面から一体に突出されていて、胴１３内に挿入して配置される部分である。円筒部２３の内周面２３ａは縁部２２の内周面より小径である。円筒部２３の内周面２３ａは後述する文字盤の表示径を規定する見切り面である。この内周面２３ａの径は、縁部材２１の高さ方向に変化がなく一定であることが好ましいが、縁部２２に近づくにしたがって次第に大きくなる形態であってもよい。
【００４２】
円筒部２３は板受け面２３ｂを有している。板受け面２３ｂは、例えばケース１２の背面側に位置された円筒部２３の端面で形成されているが、ケース１２の背面側に位置された円筒部２３の端面とケース１２の正面側に位置された円筒部２３の端面との間に形成することも可能である。
【００４３】
ケース１２の正面側に位置された円筒部２３の端面と縁部２２の内周面とは、直角に連続された部材受け面２１ｂをなしている。図１〜図４中符号２６は、例えば透明ガラスや透明合成樹脂等の透明材料で円形に形成された透視部材を示している。透視部材２６は、その周面と周部裏面が部材受け面２１ｂに接触された状態で、縁部２２に支持されている。透視部材２６の外周面は接着剤２７（図２参照）により縁部２２の内周面に接着されている。
【００４４】
なお、この接着に代えて、縁部２２にその内周面に露出して防水パッキンを取付け、この防水パッキンの内周面に透視部材２６の外周面を密着させた形態で、縁部２２に透視部材２６を支持させてもよい。しかし、前記接着構造は、防水パッキンの取付け溝を縁部に加工する必要がないとともに、それに伴い縁部２２の高さを低くできるので好ましい。
【００４５】
受け部２４は、例えば円筒部２３の外周から突出された形態で、図４等に示すように円筒部２３の周方向に間隔的例えば等間隔に複数設けられている。円筒部２３の周方向に隣接した受け部２４の間は、夫々円筒部２３の外周面を底面とする凹部２８となっている。円筒部２３の周方向に延びた受け部２４の幅は、円筒部２３の周方向に延びた凹部２８の幅より長い。各受け部２４は、凹部２８に対し縁部材２１の周方向にずれた位置に係合溝２４ａを夫々有している。係合溝２４ａは、縁部２２側（言い換えれば、ケース１２の正面側）に向けて開放されていて、その長さは凹部２８の幅に略等しい。
【００４６】
ケース１２の背面は腕時計１１の使用者の腕に接する。この背面をなす裏蓋３１は、ステンレス鋼やチタンなどの金属製であることが好ましいが、合成樹脂製であってもよい。図２及び図５に示すように裏蓋３１は、その周部に円環形でかつ裏蓋３１の直径よりも小径の取付け壁３２を一体に有している。取付け壁３２の外周面に係止溝１６と同数の係合凸部３３が係止溝１６と同じ配置で設けられている。裏蓋３１は、その取付け壁３２をケース１２の背面側から胴１３内に挿入することで、係合凸部３３が胴１３の係止溝１６に引っ掛けられた状態で胴１３に取付けられている。この取付けによって、裏蓋３１の周部は、防水パッキン１８を圧縮した状態に変形させて蓋受け面１３ｂに接触された状態に保持される。
【００４７】
図２に示すようにケース１２に、中枠４１とともにムーブメント５１が収容されている。
中枠４１は、例えば、金属製又は樹脂製等であり、図５に示すようにリング状部４２と、一対の互いに平行な脚板部４３と、これら脚板部４３に夫々突出された突起４４とを有している。中枠４１の内周はリング状部４２と一対の脚板部４３とで形成され、この内周の形状は非円形である。中枠４１の外周の形状は略円形である。中枠４１の外周の径は前記胴底部１４の内周に嵌合できるようにこの内周の径と略同じである。
【００４８】
中枠４１は、リング状部４２の脚板部４３が突出された側と反対側に、一対の嵌合溝４５（そのうちの一方のみを図２に示す。）を有している。
詳しくは、一方の嵌合溝４５は、リング状部４２において一対の脚板部４３の長手方向一端間にわたる部位に、この部位に沿って円弧状に形成されている。同様に、他方の嵌合溝４５は、リング状部４２において一対の脚板部４３の長手方向他端間にわたる部位に、この部位に沿って円弧状に形成されている。なお、これら嵌合溝４５のイメージについては、第２の実施の形態を示す図９に詳しく表されている。
【００４９】
又、図５に示すように中枠４１に、リング状部４２の外周から一方の脚板部４３にわたる逃げ溝４６が形成されている。突起４４は脚板部４３に対してリング状部４２と反対側に向けて突設されている。
【００５０】
ムーブメント５１は、本体部５２と、表示盤例えば文字盤５３とを有している。更に、第１の実施の形態においてムーブメント５１は時刻を指し示す時針や分針等の表示針５４も有している。
【００５１】
本体部５２は作動装置であり、この本体部５２によって腕時計１１では時刻表示のために例えば表示針５４が動かされる。この本体部５２は、小型電池やぜんまいを動力源にした形式のもの、または自動巻きの形式のもの、若しくはクォーツ発振モジュールにより時刻を文字盤５３にデジタル表示させる形式（つまり、デジタル時計対応）のもの、或いはデジタル時計対応のものとそれ以外の形式のものとを併用した形式のものなどのいずれであってもよい。ここでは、表示針５４を有するムーブメント５１を例示している。
【００５２】
図５に示すように本体部５２は、互いに平行な側面５２ａ（一方のみ示す。）と、一対の弧状凸部５２ｂを有している。弧状凸部５２ｂは、一対の側面５２ａにわたって設けられている。これらの弧状凸部５２ｂを除いた本体部５２の部位は、中枠４１の非円形をなした内周に嵌合できるようにこの内周の形状と略同じ形状に形成されている。このため、嵌合された中枠４１と本体部５２とは、それらの周方向にずれ動くことがないように互いに位置決めされている。弧状凸部５２ｂの厚みは中枠４１のリング状部４２の厚みよりも厚く、これらの弧状凸部５２ｂは、中枠４１と本体部５２との嵌合に伴って中枠４１の嵌合溝４５に嵌合できるように形成されている。
【００５３】
本体部５２はその中央部から本体部５２の外部に突出された針取付け軸５５を有している。本体部５２によって回転を制御される針取付け軸５５に、表示針５４が取付けられている。表示針５４には、時針、分針、秒針のうちの少なくとも時針と分針が用いられる。
【００５４】
情報例えば時刻についての情報を表示する文字盤５３は円形であり、その直径は、本体部５２より大きく、具体的には、文字盤５３の周部が縁部材２１に形成された板受け面２３ｂに接触できる大きさである。この文字盤５３は、その中央部に形成されたセンター孔に針取付け軸５５が通された状態で、本体部５２をケース１２の正面側から覆って本体部５２と連結されている。
【００５５】
なお、文字盤５３の表面には情報の表示が設けられているが、図１、図３、図４での前記表示の図示は省略する。文字盤５３の表示は、時刻を表す目盛に限らず、互いに異なる色で区分された複数の表示領域であってもよい。或いは、複数の無地の表示領域の夫々に描かれたシンボル（例えば日中のイメージを表す太陽のシンボルや、日没後のイメージを表す月のシンボル等）を、表示とすることもできる。更に、表示は、タイマー機能用ではなく、簡易な方位測定を可能とするための方位表示であってもよい。
【００５６】
次に、縁部材２１を胴１３に固定するための引き込み機構６１を説明する。引き込み機構６１は、引き込み部材６２と、引き込み用のねじ手段例えばねじ６９と、を備えている。第１の実施の形態において引き込み機構６１はケース１２内に配設されている。
【００５７】
引き込み部材６２は、板部６３と係合部６６を少なくとも備えて形成されている。
詳しくは、板部６３は、図２に示すように胴１３内に文字盤５３の背面と対向して配置される部分である。そして、図４及び図５に示すように板部６３は、その両端間に逃げ溝６４を有した欠円環状であるとともに、前記通孔１５と同数でかつ同じ配置に設けられた複数のねじ孔６５を有している。図２に示すようにねじ孔６５は、文字盤５３の外周より内側に位置されている。
【００５８】
係合部６６は、図２及び図４に示すように縁部材２１の受け部２４の数及び凹部２８の数と同数で、かつ、胴１３の内周面１３ｃと文字盤５３の外周との間に配置された係合部ベース６６ａと、受け部２４にケース１２の正面側から引っ掛かった引っ掛け部位６６ｂとを有している。
【００５９】
係合部ベース６６ａは、受け部２４と同じ配置で、板部６３の外周に沿って間隔的にかつ板部６３の外周からケース１２の正面側に向けて折れ曲がるように突出されている。    引っ掛け部位６６ｂは、各係合部ベース６６ａの好ましくは先端部から板部６３の中心側に僅かに突出された形態で設けられている。
【００６０】
それにより、引っ掛け部位６６ｂを含んだ前記先端部の厚みは、この先端部以外の係合部ベース６６ａの部位よりもわずかに厚い。係合部６６の最大厚みは引っ掛け部位６６ｂを含んだ前記先端部で規定されている。この厚みは、係合部６６がケース１２の径を大きくする因子とならないようにするために、胴底部１４に対してケース１２の正面側に位置された胴１３の内周面１３ｃと文字盤５３の外周との間の隙間の幅より薄く設定されている。具体例としては、引っ掛け部位６６ｂを含んだ係合部ベース６６ａの先端部の厚みが約0.6ｍｍで、かつ、係合部ベース６６ａの厚みを約0.5ｍｍとし、係合部ベース６６ａに対する引っ掛け部位６６ｂの出幅を約0.1ｍｍとすることが好ましい。
【００６１】
引っ掛け部位６６ｂの幅は、円筒部２３の凹部２８の幅、及び受け部２４の係合溝２４ａの幅と略同じである。この引っ掛け部位６６ｂは、凹部２８をケース１２の厚み方向に通過することが可能であるとともに、係合溝２４ａに対してケース１２の正面側から係脱可能である。
【００６２】
ねじ６９は、胴１３内においてケース１２の背面側から正面側に向けて通孔１５に夫々挿入され、これらの通孔１５に対向されている引き込み部材６２のねじ孔６５に夫々螺合されている。これらのねじ６９は、裏蓋３１が外された状態でケース１２の背面側から取外し可能である。
【００６３】
図１及び図５中符号７１は竜頭を示し、更に図５中符号７２は前記巻真通孔２０を貫通する巻真を示している。巻真７２は胴１３内に突出され、逃げ溝４６とこれに対向された逃げ溝６４との間を通ってムーブメント５１の本体部５２に達している。この巻真７２は竜頭７１と連動して動かされるもので、竜頭７１を手動操作することによって巻真７２を介してムーブメント５１の本体部５２が操作されるようになっている。
【００６４】
次に、第１の実施の形態に係る腕時計１１を組立てる手順を説明する。
この組立てにおいては、既に透視部材２６が接着されて縁部２２に取付けられているとともに、防水パッキン２５が縁部２２のパッキン溝２２ａに嵌め込まれた状態の縁部材２１と、文字盤５３及び表示針５４を有して組立てられたムーブメント５１と、引き込み機構６１の引き込み部材６２が予め用意されて、これらを構成部品とするアセンブリＡ（図３参照）が構成される。
【００６５】
アセンブリＡを組み立てるには、まず、透視部材２６が支持された縁部材２１を、透視部材２６が下側になる姿勢に配置した状態で、その上方から、逆様にしたムーブメント５１を組み合わせて、ムーブメント５１の文字盤５３の周部が縁部材２１の円筒部２３の板受け面２３ｂに接触された状態とする。これにより、ムーブメント５１の文字盤５３は、透視部材２６と平行に配置されて、この透視部材２６に対向された状態となる。
【００６６】
この後、係合部６６が下を向くように逆様にした引き込み部材６２を、逆様の状態にあるムーブメント５１の上方から文字盤５３に被せる。これに伴って、各係合部６６の引っ掛け部位６６ｂが円筒部２３の外周面に形成された各凹部２８に夫々通される。それにより、文字盤５３の周面と係合部６６の係合部ベース６６ａとが対向された状態となるとともに、引き込み部材６２が文字盤５３を覆って、その板部６３に設けられているねじ孔６５が文字盤５３の外周より内側に配置された状態となる。
【００６７】
更に、この状態で、引き込み部材６２をその周方向に回転操作する。それにより、引っ掛け部位６６ｂが凹部２８から円筒部２３の周方向にずらされて、この引っ掛け部位６６ｂが縁部材２１の受け部２４の係合溝２４ａに嵌合して引っ掛かることが可能な状態に、アセンブリＡが組立てられる。こうして、組立てられたアセンブリＡが逆様となった状態を図３に示す。
【００６８】
次に、以上の手順で組み立てられて逆様の状態となっているアセンブリＡに対して胴１３が組み合わされる。
即ち、縁部材２１の縁部２２及びこれに支持されている透視部材２６以外の部分に、縁受け面１３ａが下を向くように逆様にした胴１３を被せる。それにより、前記部分が相対的に胴１３内に挿入され、縁部２２に取付けられている防水パッキン２５に縁受け面１３ａが接する。このとき、胴底部１４の通孔１５が、胴底部１４に対向する板部６３のねじ孔６５に対向されるように、アセンブリＡに対する胴１３の位置を調整する。
【００６９】
こうして逆様の状態となっているアセンブリＡに対して逆様にした胴１３が組み合わされた状態では、引き込み部材６２の板部６３が、胴１３の胴底部１４の下側でかつ文字盤５３の上側に配置されているとともに、係合部６６の係合部ベース６６ａが、胴１３の内周面１３ｃと文字盤５３の外周との間の隙間に通されている。更に、前記組合せにより、ムーブメント５１の本体部５２が、引き込み部材６２の板部６３の中央孔部に貫通される。この状態で、本体部５２と板部６３の内周との間に環状をなした所定の隙間が形成される。
【００７０】
次に、引き込み機構６１を構成する。つまり、逆様になっている胴１３の上方から胴底部１４の通孔１５にねじ６９を夫々通して、これらのねじ６９をねじ孔６５にねじ込んで締め付ける。それにより、引き込み部材６２が上方に引き寄せられ、その引っ掛け部位６６ｂが受け部２４の受け部２４ａにケース１２の正面側から嵌合されて引っ掛かるに伴い、縁部材２１の縁部２２が胴１３の縁受け面１３ａに接するように引き寄せられる。
【００７１】
このため、防水パッキン２５が圧縮されて縁部２２と縁受け面１３ａとの間に挟まれた状態となって、縁部材２１が胴１３に固定されるとともに、引っ掛け部位６６ｂが受け部２４の係合溝２４ａ引っ掛かった状態が維持される。なお、この段階では、胴１３が逆様になっているので、係合溝２４ａに対して下側から引っ掛け部位６６ｂが嵌合されて引っ掛かった状態にある。
【００７２】
この後、逆様になっている胴１３に対しその上側から中枠４１が組込まれて、この中枠がムーブメント５１の本体部５２の外周に嵌合される。なお、胴１３への中枠４１の組み込みは、ねじ６９を締め付ける前に行ってもよい。
【００７３】
中枠４１の組み込みによって、中枠４１の外周が胴底部１４の内周に嵌合されて、胴１３に対するムーブメント５１の径方向の位置が決められる。これとともに、組み込まれた中枠４１は、ムーブメント５１に対してその周方向に動くことがないように適正位置に位置決めされ、かつ、中枠４１の嵌合溝４５と本体部５２の弧状凸部５２ｂとが胴１３の厚み方向に引っ掛かった状態に嵌合される。更に、前記位置決めに伴い、中枠４１の逃げ溝４６が、板部６３の逃げ溝６４と合わさって、巻真の通路が形成される。
次に、巻真７２が胴１３の巻真通孔２０に通されて、この巻真７２とムーブメント５１とが接続されるとともに、巻真７２に対して胴１３の外側から竜頭７１が接続される。
【００７４】
最後に、胴１３のパッキン溝１７に防水パッキン１８を嵌合した状態で、逆様になった状態の胴１３内に裏蓋３１の取付け壁３２を圧入する。そうすると、裏蓋３１の周部で防水パッキン１８が圧縮変形されとともに裏蓋３１の周部が胴１３の蓋受け面１３ｂに接した状態となり、かつ、裏蓋３１の係合凸部３３が胴底部１４の係止溝１６に引っ掛かった状態に係合されて、裏蓋３１が胴１３に取付けられる。それにより、ケース１２が組立てられるとともに、腕時計１１の組み立てが完了する。
【００７５】
組立てが完了した状態では、裏蓋３１の周部が胴１３の蓋受け面１３ｂに接触された状態となり、防水パッキン１８は圧縮されて裏蓋３１と胴底部１４との間に挟まれた状態となる。更に、裏蓋３１が取付けられるに伴い、この裏蓋３１の内面に中枠４１の突起４４が接するので、中枠４１と弧状凸部５２ｂとの引っ掛かり部を介してムーブメント５１が透視部材２６に向けて押されている。それにより、ムーブメント５１の文字盤５３の周部が円筒部２３の板受け面２３ｂに押付けられて、縁部材２１の円筒部２３により、文字盤５３がケース１２の正面側から支持された状態に保持される。なお、この段階では、胴１３が逆様になっているので、文字盤５３はその下側から円筒部２３で支持された状態にある。この状態でも、裏蓋３１に対する中枠４１の突起４４の接触が維持されているので、胴１３の厚み方向に動かないようにムーブメント５１は位置決めされている。
【００７６】
以上の手順によれば、縁部材２１を胴１３に取付ける引き込み機構６１と縁部材２１の受け部２４が、縁部材２１の縁部２２に対してケース１２の背面側に配置されている。これとともに、引き込み部材６２が有する係合部６６の係合部ベース６６ａが、胴１３の内周面１３ｃと文字盤５３の外周との間に配置されている。そのため、係合部６６の引っ掛け部位６６ｂが縁部材２１の円筒部２３の外周に設けられた受け部２４にケース１２の正面側から引っ掛けられた状態が、文字盤５３に対してケース１２の正面側に形成されている。それにより、既述のようにねじ６９を締め付けて縁部材２１を胴１３に取付けることができる。
【００７７】
以上の手順で組立てられた腕時計１１によれば、引き込み機構６１が有する引き込み部材６２の板部６３が文字盤５３の背面と対向して配置されているとともに、引き込み機構６１が有するねじ６９が文字盤５３の外周より内側に配置されている。このようにねじ６９が文字盤５３の外周より外側に配置されていないことに伴い、縁部材２１の縁部２２にねじ６９を受けるねじ穴を設ける必要がない。したがって、透視部材２６が支持された縁部材２１の幅Ｈを狭くできる。
【００７８】
このように縁部材２１の幅Ｈを狭くできることに伴い、ケース１２の直径サイズが規定されている場合は、文字盤５３の表示径Ｄを大きくすることが可能である。この逆に、文字盤５３の表示径Ｄが規定されている場合は、ケース１２の直径サイズ（Ｄ＋２Ｈの式で計算される寸法）を小さくすることが可能である。
【００７９】
なお、第１の実施の形態では、胴１３の内周面１３ｃと文字盤５３の外周との間に配置されている係合部６６の係合部ベース６６ａは、その厚みが極めて薄く、しかも、胴１３に対する縁部材２１の嵌合面２１ａの径Ｆの範囲、具体的には、縁部材２１のパッキン溝２２ａから円筒部２３の内周面２３ａまでの寸法Ｅの範囲に設けられている。このため、係合部ベース６６ａの厚みは、ケース１２の直径サイズを大きくする因子としては無視することができる。
【００８０】
更に、第１の実施の形態によれば、縁部材２１が有する円筒部２３の内周面２３ａが文字盤５３の周部と直角に連続されている。これにより、円筒部２３のケース正面側開口径が同じである条件において、円筒部２３の内周面２３ａがケース１２の背面側ほど径が次第に小さくなる構成と比較して、文字盤５３の表示径Ｄをより大きく確保することができる。
【００８１】
以上の手順で組立てられた腕時計１１によれば、引っ掛け部位６６ｂが受け部２４の係合溝２４ａに嵌合された状態で受け部２４に引っ掛けられている。このため、胴１３にねじ６９により保持された引き込み部材６２に対して縁部材２１が、適正位置に配置された状態に保持されていて、この縁部材２１がその周方向に不用意に動くことがない。
【００８２】
したがって、ケース１２の厚み方向に沿う受け部２４と引っ掛け部位６６ｂとの引っ掛かりが外れることがなくなり、アセンブリＡが分解される虞がない。これとともに、縁部材２１の縁部２２にマークなどの表示が施された場合、その表示が文字盤５３との位置関係で適正位置からずれる虞もない。
【００８３】
更に、第１の実施の形態の腕時計１１によれば、ねじ手段としてねじ６９を用いているので、それらに低コストの汎用ねじを用いることができる。しかも、第１の実施の形態の腕時計１１によれば、ねじ６９の全体が胴１３の内部に配置されていて、これらのねじ６９が胴１３に取付けられた裏蓋３１で覆い隠されているので、ケース背面の体裁が良い。これとともに、ケース１２の裏蓋３１にねじ６９を通るための孔開け加工を要することもなく、それに伴い裏蓋３１を通る水の浸入経路が形成されない点でも好ましい。
【００８４】
又、腕時計１１を分解するには、以上説明した組立ての手順とは逆の手順で行えばよい。簡単に説明すれば、まず、裏蓋３１が上を向く姿勢に配置した状態で、裏蓋３１を外した後に、中枠４１を外す。この場合、中枠４１の脚板部４３が有する孔４３ａ（図５参照）に図示しない工具を引っ掛けて、中枠４１を引き出せばよい。次に、各ねじ６９を夫々外してから、アセンブリＡに対して胴１３を外す。また、外されたアセンブリＡは必要に応じて分解すればよい。こうした分解状態において、必要により防水パッキン１８又は防水パッキン２５の交換を行うことができる。
【００８５】
以上説明した腕時計１１の組立てにおいては、引き込み機構６１の組み立て作業、つまり、ねじ６９を引き込み部材６２にねじ込む作業に伴い、縁部材２１が引き込まれて胴１３に固定される。腕時計１１の分解においては、引き込み機構６１の分解作業、つまり、ねじ６９を引き込み部材６２から外す作業に伴い、縁部材２１を胴１３から外すことが可能な状態となる。
【００８６】
このため、防水パッキン２５の交換などのメンテナンスをするのに、腕時計１１の組み立てと分解が行われても、縁部材２１の縁部に応力が掛かることがない。よって、腕時計１１の組み立てと分解が繰り返されても、縁部材２１と透視部材２６との接着が剥がれる虞がない。これとともに、腕時計１１の組立て及び分解において胴１３と縁部材２１の縁部２２との間に工具が差し込まれて縁部材２１がこじ開けられることがない。そのため、腕時計１１の組み立てと分解が繰り返されても縁部２２と胴１３とが傷つけられる虞もない。更に、腕時計１１の組み立てと分解が繰り返されても、縁部材２１を胴１３に固定する機能を損なうような損耗を生じないので、分解後の再組み立ての信頼性が高い。
【００８７】
図６〜図９は本発明の第２の実施の形態を示している。この第２の実施の形態に係る腕時計の構成は以下の説明を除いて第１の実施の形態と同じである。このため、第１の実施の形態に係る腕時計１１と同じか類似の構成又は同一の機能を奏する構成については、第１の実施の形態と同一符号を付して説明を省略する。第２の実施の形態は、円筒部２３と、受け部２４と、係合部６６等が第１の実施の形態とは異なっている。
【００８８】
即ち、第２の実施の形態において、図６〜図９に示すように円筒部２３の外周面は、縁部材２１の嵌合面２１ａで形成されている。受け部２４は、円筒部２３の周方向に間隔的に複数設けられている。これらの受け部２４は、円筒部２３の外周ではなく、円筒部２３からケース１２の背面側に向けて突設されていて、受け部ベース２４ｂと係止部位２４ｃとを有している。
【００８９】
図６及び図７に示すように受け部ベース２４ｂは、胴１３の内周面１３ｃと文字盤５３との間に配置される部分であり、その外側面は嵌合面２１ａと面一である。係止部位２４ｃは、受け部ベース２４ｂの先端部に内方に向けて折れ曲がるように突出して形成された部分である。なお、第２の実施の形態では、縁部材２１の受け部２４には第１の実施の形態で説明した係止溝に相当する構成は設けられていない。
【００９０】
受け部２４の係止部位２４ｃを含んだ先端部の厚みは、この先端部以外の受け部ベース２４ｂの厚みよりもわずかに厚い。受け部２４の最大厚みは係止部位２４ｃを含んだ前記先端部で規定されている。この厚みは、受け部２４がケース１２の径を大きくする因子とならないようにするために、胴底部１４に対してケース１２の正面側に位置された胴１３の内周面１３ｃと文字盤５３の外周との間の隙間の幅より薄い。具体例としては、係止部位２４ｃを含んだ受け部ベース２４ｂの先端部の厚みが約0.6ｍｍで、かつ、受け部ベース２４ｂの厚みを約0.5ｍｍとし、受け部ベース２４ｂに対する係止部位２４ｃの出幅を約0.1ｍｍとすることが好ましい。
【００９１】
図６及び図９に示すように受け部２４の先端部よりやや大きめで、かつ、同先端部が胴底部１４に接しないようにするための逃げ凹部１４ａが、胴底部１４の根元に受け部２４と同数設けられている。
【００９２】
係合部６６は、図８に示すように引き込み部材６２が有した板部６３の周部に、間隔的にかつ受け部２４と同数設けられている。これらの係合部６６は板部６３と面一であり、板部６３の周部にその周方向に隣接した係合部６６の間からなる凹部２８が形成されている。そのため、第２の実施の形態では、縁部材２１には凹部２８に相当する構成は設けられていない。凹部２８の数と受け部２４及び係合部６６と数は同じである。これらの凹部２８に対し受け部２４の係止部位２４ｃはケース１２の厚み方向に通過可能である。
なお、以上説明した構成以外は、図６〜図９に示されない構成を含めて第１の実施の形態と同じである。
【００９３】
次に、第２の実施の形態に係る腕時計１１を組立てる手順を説明する。
この組立てにおいては、既に透視部材２６が接着されて縁部２２に取付けられているとともに、防水パッキン２５が縁部２２のパッキン溝２２ａに嵌め込まれた状態の縁部材２１と、文字盤５３及び表示針５４を有して組立てられたムーブメント５１と、引き込み機構６１の引き込み部材６２が予め用意されて、これらを構成部品とするアセンブリＡ（図７参照）が構成される。
【００９４】
アセンブリＡを組み立てるには、まず、透視部材２６が支持された縁部材２１を、透視部材２６が下側になる姿勢に配置した状態で、その上方から、逆様にしたムーブメント５１を組み合わせて、文字盤５３の周部が縁部材２１の円筒部２３の板受け面２３ｂに接触された状態にする。これにより、ムーブメント５１の文字盤５３は、透視部材２６と平行に配置されて、この透視部材２６に対向された状態となる。この状態で、縁部材２１の受け部２４は上側（つまり、ケース１２の背面側）を向いていて、この受け部２４の受け部ベース２４ｂが文字盤５３の周面に対向されているとともに、受け部２４の係止部位２４ｃが文字盤５３より上側に配置されている。
【００９５】
この後、逆様の状態にあるムーブメント５１の上方から引き込み部材６２を文字盤５３に被せる。このとき、縁部材２１の受け部２４に形成された係止部位２４ｃが、引き込み部材６２の周部に形成された各凹部２８に夫々通される。それにより、引き込み部材６２が文字盤５３を覆って、その板部６３に設けられているねじ孔６５が文字盤５３の外周より内側に配置された状態となる。
【００９６】
更に、この状態で、引き込み部材６２をその周方向に回転操作する。それにより、係合部６６が係止部位２４ｃに対して円筒部２３の周方向にずらされて、これら係合部６６と係止部位２４ｃとが引っ掛かることが可能な状態に、アセンブリＡが組立てられる。こうして、組立てられたアセンブリＡが逆様となった状態を図７に示す。
【００９７】
次に、以上の手順で組み立てられて逆様の状態となっているアセンブリＡに対して胴１３が組み合わされる。
即ち、縁部材２１の縁部２２及びこれに支持されている透視部材２６以外の部分に、縁受け面１３ａが下を向くように逆様にした胴１３を被せる。それにより、前記部分が相対的に胴１３内に挿入され、縁部２２に取付けられている防水パッキン２５に縁受け面１３ａが接する。このとき、胴底部１４の通孔１５が、胴底部１４に対向する板部６３のねじ孔６５に対向されるように、アセンブリＡに対する胴１３の位置を調整する。
【００９８】
こうして逆様の状態となっているアセンブリＡに対して逆様にした胴１３が組み合わされた状態で、受け部２４の受け部ベース２４ｂは、胴１３の内周面１３ｃと文字盤５３の外周との間に配置される。そのため、引き込み部材６２が備える板部６３の周部に形成された係合部６６に、受け部２４の係止部位２４ｃがケース１２の背面側から引っ掛けられた状態が、文字盤５３に対してケース１２の背面側に形成される。又、前記組合せにより、ムーブメント５１の本体部５２が、引き込み部材６２の板部６３の中央孔部に貫通される。この状態で、本体部５２と板部６３の内周との間に環状をなした所定の隙間が形成される。
【００９９】
次に、引き込み機構６１を構成する。つまり、逆様になっている胴１３の上方から胴底部１４の通孔１５にねじ６９を夫々通して、これらのねじ６９をねじ孔６５にねじ込んで締め付ける。それにより、引き込み部材６２が上方に引き寄せられて、その係合部６６が受け部２４の係止部位２４ｃにケース１２の正面側から引っ掛かるに伴い、縁部材２１の縁部２２が胴１３の縁受け面１３ａに接するように引き寄せられる。
【０１００】
このため、防水パッキン２５が圧縮されて縁部２２と縁受け面１３ａとの間に挟まれた状態となって、縁部材２１が胴１３に固定されるとともに、係合部６６が受け部２４の係止部位２４ｃに引っ掛かった状態が維持される。なお、この段階では、胴１３が逆様になっているので、係止部位２４ｃに対して下側から係合部６６が引っ掛かった状態にある。
【０１０１】
この後、逆様になっている胴１３に対しその上側から中枠４１が組込まれて、この中枠がムーブメント５１の本体部５２の外周に嵌合される。なお、胴１３への中枠４１の組み込みは、ねじ６９を締め付ける前に行ってもよい。
【０１０２】
中枠４１の組み込みによって、中枠４１の外周が胴底部１４の内周に嵌合されて、胴１３に対するムーブメント５１の径方向の位置が決められる。これとともに、組み込まれた中枠４１は、ムーブメント５１に対してその周方向に動くことがないように適正位置に位置決めされ、かつ、中枠４１の嵌合溝４５と本体部５２の弧状凸部５２ｂとが胴１３の厚み方向に引っ掛かった状態に嵌合される。更に、前記位置決めに伴い、中枠４１の逃げ溝４６が、板部６３の逃げ溝６４と合わさって、巻真７２の通路が形成される。
次に、巻真７２が胴１３の巻真通孔２０に通されて、この巻真７２とムーブメント５１とが接続されるとともに、巻真７２に対して胴１３の外側から竜頭７１が接続される。
【０１０３】
最後に、胴１３のパッキン溝１７に防水パッキン１８を嵌合した状態で、逆様になった状態の胴１３内に裏蓋３１の取付け壁３２を圧入する。そうすると、裏蓋３１の周部で防水パッキン１８が圧縮変形されとともに裏蓋３１の周部が胴１３の蓋受け面１３ｂに接した状態となり、かつ、裏蓋３１の係合凸部３３が胴底部１４の係止溝１６に引っ掛かった状態に係合されて、裏蓋３１が胴１３に取付けられる。それにより、ケース１２が組立てられるとともに、腕時計１１の組み立てが完了する。
【０１０４】
この状態で、裏蓋３１の周部が胴１３の蓋受け面１３ｂに接触された状態となり、防水パッキン１８は圧縮されて裏蓋３１と胴底部１４との間に挟まれた状態となる。更に、裏蓋３１が取付けられるに伴い、この裏蓋３１の内面に中枠４１の突起４４が接するので、中枠４１と弧状凸部５２ｂとの引っ掛かり部を介してムーブメント５１が透視部材２６に向けて押されている。それにより、ムーブメント５１の文字盤５３の周部が円筒部２３の板受け面２３ｂに押付けられて、文字盤５３が縁部材２１の円筒部２３により、ケース１２の正面側から支持された状態となる。なお、この段階では、胴１３が逆様になっているので、文字盤５３はその下側から円筒部２３で支持された状態にある。この状態でも、裏蓋３１に対する中枠４１の突起４４の接触が維持されているので、胴１３の厚み方向に動かないようにムーブメント５１は位置決めされている。
【０１０５】
以上の手順によれば、縁部材２１を胴１３に取付ける引き込み機構６１と縁部材２１の受け部２４が、縁部材２１の縁部２２に対してケース１２の背面側に配置されている。これとともに、縁部材２１が有する受け部２４の受け部ベース２４ｂが、胴１３の内周面１３ｃと文字盤５３の外周との間に配置されている。そのため、引き込み部材６２の係合部６６が縁部材２１の円筒部２３からケース１２の背面方向に向けて突出された受け部２４の係止部位２４ｃにケース１２の正面側から引っ掛けられた状態が、文字盤５３に対してケース１２の背面側に形成されている。それにより、既述のようにねじ６９を締め付けて縁部材２１を胴１３に取付けることができる。
【０１０６】
以上の手順で組立てられた腕時計１１では、引き込み機構６１が有する引き込み部材６２の板部６３が文字盤５３の背面と対向して配置されているとともに、引き込み機構６１が有するねじ６９が文字盤５３の外周より内側に配置されている。このようにねじ６９が文字盤５３の外周より外側に配置されていないことに伴い、縁部材２１の縁部２２にねじ６９を受けるねじ穴を設ける必要がない。したがって、透視部材２６が支持された縁部材２１の幅Ｈを狭くできる。
【０１０７】
このように縁部材２１の幅Ｈを狭くできることに伴い、ケース１２の直径サイズが規定されている場合は、文字盤５３の表示径Ｄを大きくすることが可能である。この逆に、文字盤５３の表示径Ｄが規定されている場合は、ケース１２の直径サイズ（Ｄ＋２Ｈの式で計算される寸法）を小さくすることが可能である。
【０１０８】
なお、第２の実施の形態では、胴１３の内周面１３ｃと文字盤５３の外周との間に配置されている受け部２４の受け部ベース２４ｂは、その厚みが極めて薄く、しかも、胴１３に対する縁部材２１の嵌合面２１ａの径Ｆの内側、言い換えれば、縁部材２１のパッキン溝２２ａから円筒部２３の内周面２３ａまでの寸法Ｅの範囲に設けられている。このため、ケース１２の直径サイズを大きくする因子としては無視することができる。
【０１０９】
更に、第２の実施の形態によれば、縁部材２１が有する円筒部２３の内周面２３ａが文字盤５３の周部と直角に連続されている。これにより、円筒部２３のケース正面側開口径が同じである条件において、円筒部２３の内周面２３ａがケース１２の背面側ほど径が次第に小さくなる構成と比較して、文字盤５３の表示径Ｄをより大きく確保することができる。
【０１１０】
以上の手順で組立てられた第２の実施の形態の腕時計１１によれば、ねじ手段としてねじ６９を用いているので、それらに、低コストの汎用ねじを用いることができる。更に、第２の実施の形態の腕時計１１によれば、ねじ６９の全体が胴１３の内部に配置されていて、これらのねじ６９が胴１３に取付けられた裏蓋３１で覆い隠されているので、ケース背面の体裁が良い。これとともに、ケース１２の裏蓋３１にねじ６９を通るための孔開け加工を要することもなく、それに伴い裏蓋３１を通る水の浸入経路が形成されない点でも好ましい。
【０１１１】
又、腕時計１１を分解するには、以上説明した組立ての手順とは逆の手順で行えばよい。簡単に説明すれば、まず、裏蓋３１が上を向く姿勢に配置した状態で、裏蓋３１を外した後に、中枠４１を外す。この場合、中枠４１の脚板部４３が有する孔４３ａ（図９参照）に図示しない工具を引っ掛けて、中枠４１を引き出せばよい。次に、各ねじ６９を夫々外してから、アセンブリＡに対して胴１３を外す。また、外されたアセンブリＡは必要に応じて分解すればよい。そして、こうした分解状態において、必要により防水パッキン１８又は防水パッキン２５の交換を行うことができる。
【０１１２】
以上説明した腕時計１１の組立てにおいては、引き込み機構６１の組み立て作業、つまり、ねじ６９を引き込み部材６２にねじ込む作業に伴い、縁部材２１が引き込まれて胴１３に固定される。腕時計１１の分解においては、引き込み機構６１の分解作業、つまり、ねじ６９を引き込み部材６２から外す作業に伴い、縁部材２１を胴１３から外すことが可能な状態となる。
【０１１３】
このため、防水パッキン２５の交換などのメンテナンスをするのに、腕時計１１の組み立てと分解が行われても、縁部材２１の縁部に応力が掛かることがない。よって、腕時計１１の組み立てと分解が繰り返されても、縁部材２１と透視部材２６との接着が剥がれる虞がない。これとともに、腕時計１１の組立て及び分解において胴１３と縁部材２１の縁部２２との間に工具が差し込まれて縁部材２１がこじ開けられることがない。そのため、腕時計１１の組み立てと分解が繰り返されても縁部２２と胴１３とが傷つけられる虞もない。更に、腕時計１１の組み立てと分解が繰り返されても、縁部材２１を胴１３に固定する機能を損なうような損耗を生じないので、分解後の再組み立ての信頼性が高い。
【０１１４】
図１０〜図１３は本発明の第３の実施の形態を示している。この第３の実施の形態に係る腕時計の構成は以下の説明を除いて第１の実施の形態と同じである。このため、第１の実施の形態に係る腕時計１１と同じか類似の構成又は同一の機能を奏する構成については、第１の実施の形態と同一符号を付して説明を省略する。第３の実施の形態は、胴底部、及び引き込み機構等が第１の実施の形態とは異なっている。
【０１１５】
即ち、第３の実施の形態において、図１０及び図１３に示すように胴底部１４はその厚み方向に貫通するとともに胴底部１４の内周面をなす嵌合孔１４ｂを有している。嵌合孔１４ｂは、引き込み部材６２をその周方向に回り止めするために、非円形例えば角孔具体的には六角形のすべての角が面取りされた形状である略六角孔で形成されている。なお、この第３の実施の形態で、胴底部１４には、第１の実施の形態で説明した通孔及び係止溝は設けられていない。また、第３の実施の形態での蓋受け面１３ｂは、胴１３の厚み方向のケース背面側の端面ではなく、この端面に対して段差を形成して設けられた胴底部１４の背面で形成されている。
【０１１６】
図１２及び図１３等に示すように引き込み機構６１が備える引き込み部材６２は、その板部６３の内周部からケース１２の背面側に向けて一体に突出された環状筒部６８を有している。環状筒部６８は嵌合孔１４ｂに挿脱可能に嵌合される部分である。環状筒部６８の外面形状は、嵌合孔１４ｂの形状に対応しており、第３の実施の形態の場合は六角形のすべての角が面取りされた形状である略六角形状をなしている。この環状筒部６８の内周面には雌ねじ部６８ａが形成されている。
【０１１７】
引き込み機構６１が有するねじ手段は、第３の実施の形態においては裏蓋３１に設けられている。つまり、図１０及び図１３に示すように裏蓋３１が有する取付け壁３２の外周面に設けられた雄ねじ部３２ａで、ねじ手段が形成されている。この雄ねじ部３２ａは胴１３への裏蓋３１の取付けを兼ねて環状筒部６８の雌ねじ部６８ａに螺合されている。このため、第３の実施の形態で、取付け壁３２には、第１の実施の形態で説明した係合凸部は設けられていない。
なお、以上説明した構成以外は、図１０〜図１３に示されない構成を含めて第１の実施の形態と同じである。
【０１１８】
次に、第３の実施の形態に係る腕時計１１を組立てる手順を説明する。
この組立てにおいては、既に透視部材２６が接着されて縁部２２に取付けられているとともに、防水パッキン２５が縁部２２のパッキン溝２２ａに嵌め込まれた状態の縁部材２１と、文字盤５３及び表示針５４を有して組立てられたムーブメント５１と、引き込み機構６１の引き込み部材６２が予め用意されて、これらを構成部品とするアセンブリＡ（図１１参照）が構成される。
【０１１９】
アセンブリＡを組み立てるには、まず、透視部材２６が支持された縁部材２１を、透視部材２６が下側になる姿勢に配置した状態で、その上方から、逆様にしたムーブメント５１を組み合わせて、文字盤５３の周部が縁部材２１の円筒部２３の板受け面２３ｂに接触された状態とする。これにより、ムーブメント５１の文字盤５３は、透視部材２６と平行に配置されて、この透視部材２６と対向された状態となる。
【０１２０】
この後、係合部６６が下を向くように逆様にした引き込み部材６２を、逆様の状態にあるムーブメント５１の上方から文字盤５３に被せる。このとき、各係合部６６の引っ掛け部位６６ｂが円筒部２３の外周面に形成された各凹部２８に夫々通される。それにより、文字盤５３の周面と係合部６６の係合部ベース６６ａとが対向された状態となるとともに、引き込み部材６２が文字盤５３を覆って、その板部６３から突出されている環状筒部６８は文字盤５３の外周より内側に配置された状態となる。
【０１２１】
更に、この状態で、引き込み部材６２をその周方向に回転操作する。それにより、引っ掛け部位６６ｂが凹部２８から円筒部２３の周方向にずらされて、この引っ掛け部位６６ｂが縁部材２１の受け部２４の係合溝２４ａに嵌合して引っ掛かることが可能な状態に、アセンブリＡが組立てられる。こうして、組立てられたアセンブリＡが逆様となった状態を図１１に示す。
【０１２２】
次に、以上の手順で組み立てられて逆様の状態となっているアセンブリＡに対して胴１３が組み合わされる。
即ち、縁部材２１の縁部２２及びこれに支持されている透視部材２６以外の部分に、縁受け面１３ａが下を向くように逆様にした胴１３を被せる。それにより、前記部分が相対的に胴１３内に挿入され、縁部２２に取付けられている防水パッキン２５に縁受け面１３ａが接する。
【０１２３】
こうして逆様の状態となっているアセンブリＡに対して逆様にした胴１３が組み合わされた状態では、引き込み部材６２の板部６３が、胴１３の胴底部１４の下側でかつ文字盤５３の上側に配置されているとともに、係合部６６の係合部ベース６６ａが、胴１３の内周面１３ｃと文字盤５３の外周との間の隙間に通されている。又、前記組合せにより、ムーブメント５１の本体部５２が、引き込み部材６２の板部６３の中央孔部に貫通される。この状態で、本体部５２と板部６３の内周との間に環状をなした所定の隙間が形成される。
【０１２４】
更に、既述のように逆様となっているアセンブリＡと胴１３が組み合わされた状態では、胴底部１４の嵌合孔１４ｂに引き込み部材６２の環状筒部６８が嵌合される。この嵌合により、胴１３と引き込み部材６２とは互いに位置決めされてそれらの周方向に回り止めされた状態となる。
【０１２５】
この後、逆様になっている胴１３に対しその上側から中枠４１が組込まれて、この中枠４１がムーブメント５１の本体部５２の外周に嵌合されるとともに、環状筒部６８の内周にも嵌合される。なお、胴１３への中枠４１の組み込みは、アセンブリＡに胴１３が被せられる前に行ってもよい。
【０１２６】
中枠４１の組み込みによって、中枠４１の外周が胴底部１４の内周に嵌合されて、胴１３に対するムーブメント５１の径方向の位置が決められる。これとともに、組み込まれた中枠４１は、ムーブメント５１に対してその周方向に動くことがないように適正位置に位置決めされ、かつ、中枠４１の嵌合溝４５と本体部５２の弧状凸部５２ｂとが胴１３の厚み方向に引っ掛かった状態に嵌合される。更に、前記位置決めに伴い、中枠４１の逃げ溝４６が、板部６３の逃げ溝６４と合わさって、巻真の通路が形成される。
【０１２７】
この状態で、巻真７２が胴１３の巻真通孔２０に通されて、この巻真７２とムーブメント５１とが接続されるとともに、巻真７２に対して胴１３の外側から竜頭７１が接続される。
【０１２８】
次に、引き込み機構６１を構成して胴１３に裏蓋３１を取付ける。つまり、逆様になっている胴１３のパッキン溝１７に防水パッキン１８を嵌合した状態で、この胴１３の上方から、裏蓋３１を回転操作しながらその取付け壁３２を、引き込み部材６２が有した環状筒部６８内に挿入する。それにより、取付け壁３２の外周に形成された雄ねじ部６８ａが、環状筒部６８の雌ねじ部３２ａに螺合される。この裏蓋３１の締め付けは、既述のように引き込み部材６２が回り止めされていることにより、可能である。
【０１２９】
既述の裏蓋３１の締め付け操作により、引き込み部材６２が上方に引き寄せられ、その引っ掛け部位６６ｂが受け部２４の受け部２４ａにケース１２の正面側から嵌合されて引っ掛かる。それに伴い、縁部材２１の縁部２２が胴１３の縁受け面１３ａに接するように引き寄せられる。
【０１３０】
このため、縁部材２１に既に嵌合されている防水パッキン２５が圧縮されて縁部２２と縁受け面１３ａとの間に挟まれた状態となって、縁部材２１が胴１３に固定されるとともに、引っ掛け部位６６ｂが受け部２４の係合溝２４ａ引っ掛かった状態が維持される。なお、この段階では、胴１３が逆様になっているので、係合溝２４ａに対して下側から引っ掛け部位６６ｂが嵌合されて引っ掛かった状態にある。
【０１３１】
これとともに、裏蓋３１が胴１３に引き寄せられ、裏蓋３１の周部と蓋受け面１３ｂとの間に挟まれた防水パッキン１８が圧縮された状態となって、裏蓋３１が胴１３に取付けられる。以上説明したように裏蓋３１を引き込み部材６２にねじ込んで裏蓋３１を取付けるに伴い、縁部材２１が胴１３に取付けられるとともに、ケース１２が組立てられる。
【０１３２】
そして、以上のように裏蓋３１が胴１３に取付けられるに伴い、この裏蓋３１の内面に中枠４１の突起４４が接するので、中枠４１と弧状凸部５２ｂとの引っ掛かり部を介してムーブメント５１が透視部材２６に向けて押された状態となる。それにより、ムーブメント５１の文字盤５３の周部が円筒部２３の板受け面２３ｂに押付けられて、文字盤５３が縁部材２１の円筒部２３により、ケース１２の正面側から支持された状態となる。なお、この段階では、胴１３が逆様になっているので、文字盤５３はその下側から円筒部２３で支持された状態にある。この状態でも、裏蓋３１に対する中枠４１の突起４４の接触が維持されているので、胴１３の厚み方向に動かないようにムーブメント５１は位置決めされている。
【０１３３】
以上の手順で組立てられた腕時計１１によれば、縁部材２１を胴１３に取付ける引き込み機構６１と縁部材２１の受け部２４は、縁部材２１の縁部２２に対してケース１２の背面側に配置されている。そして、引き込み部材６２が有する係合部６６の係合部ベース６６ａは、胴１３の内周面１３ｃと文字盤５３の外周との間に配置されている。そのため、係合部６６の引っ掛け部位６６ｂが縁部材２１の円筒部２３の外周に設けられた受け部２４にケース１２の正面側から引っ掛けられた状態が、文字盤５３に対してケース１２の正面側に形成されている。
【０１３４】
以上の手順で組立てられた腕時計１１によれば、引き込み機構６１が有する引き込み部材６２の板部６３が文字盤５３の背面と対向して配置されているとともに、引き込み機構６１のねじ手段である雄ねじ部３２ａが螺合される雌ねじ部６８ａを有した環状筒部６８が、文字盤５３の外周より内側に配置されている。このように雌ねじ部６８ａを有する環状筒部６８が文字盤５３の外周より外側に配置されていないことに伴い、縁部材２１の縁部２２にねじ穴を設ける必要がない。したがって、透視部材２６が支持された縁部材２１の幅Ｈを狭くできる。
【０１３５】
このように縁部材２１の幅Ｈを狭くできることに伴い、ケース１２の直径サイズが規定されている場合は、文字盤５３の表示径Ｄを大きくすることが可能である。この逆に、文字盤５３の表示径Ｄが規定されている場合は、ケース１２の直径サイズ（Ｄ＋２Ｈの式で計算される寸法）を小さくすることが可能である。
【０１３６】
なお、第３の実施の形態では、胴１３の内周面１３ｃと文字盤５３の外周との間に配置されている係合部６６の係合部ベース６６ａは、その厚みが極めて薄く、しかも、胴１３に対する縁部材２１の嵌合面２１ａの径Ｆの内側、言い換えれば、縁部材２１のパッキン溝２２ａから円筒部２３の内周面２３ａまでの寸法Ｅの範囲に設けられている。このため、係合部ベース６６ａの厚みはケース１２の直径サイズを大きくする因子としては無視することができる。
【０１３７】
更に、第３の実施の形態によれば、縁部材２１が有する円筒部２３の内周面２３ａが文字盤５３の周部と直角に連続されているので、第１の実施の形態で既に説明した理由と同じ理由により、文字盤５３の表示径Ｄをより大きく確保することができる。
【０１３８】
以上の手順で組立てられた腕時計１１では、引っ掛け部位６６ｂが受け部２４の係合溝２４ａに嵌合された状態で受け部２４に引っ掛けられている。このため、第１の実施の形態で既に説明した理由と同じ理由により、アセンブリＡが分解される虞がない。これとともに、縁部材２１の縁部２２にマークなどの表示が施された場合、その表示が文字盤５３との位置関係で適正位置からずれる虞もない。
【０１３９】
第３の実施の形態の腕時計１１によれば、ねじ手段として、裏蓋３１の取付け壁３２を利用してその外周に雄ねじ部３２ａが設けられている。それにより、複数本のねじを用いないことに伴い、部品点数及び組立て工数を減らすことができる。しかも、第３の実施の形態の腕時計１１によれば、ねじ手段としての雄ねじ部３２ａが裏蓋３１で覆い隠されているので、ケース背面の体裁が良いとともに、裏蓋３１にねじを通るための孔開け加工を要しないことに加えて、裏蓋３１を通る水の浸入経路が形成されない点でも好ましい。
【０１４０】
又、腕時計１１を分解するには、以上説明した組立ての手順とは逆の手順で行えばよい。簡単に説明すれば、まず、裏蓋３１が上を向く姿勢に配置された状態で、裏蓋３１を外した後に、中枠４１を外す。この場合、中枠４１の脚板部４３が有する孔４３ａ（図５参照）に図示しない工具を引っ掛けて、中枠４１を引き出せばよい。次に、各ねじ６９を夫々外してから、アセンブリＡに対して胴１３を外す。また、外されたアセンブリＡは必要に応じて分解すればよい。そして、こうした分解状態において、必要により防水パッキン１８又は防水パッキン２５の交換を行うことができる。
【０１４１】
以上説明した腕時計１１の組立てにおいては、引き込み機構６１の組み立て作業、つまり、ねじ６９を引き込み部材６２にねじ込む作業に伴い、縁部材２１が引き込まれて胴１３に固定される。腕時計１１の分解においては、引き込み機構６１の分解作業、つまり、ねじ６９を引き込み部材６２から外す作業に伴い、縁部材２１を胴１３から外すことが可能な状態となる。
【０１４２】
このため、防水パッキン１８の交換などのメンテナンスをするのに、腕時計１１の組み立てと分解が行われても、縁部材２１の縁部に応力が掛かることがない。よって、腕時計１１の組み立てと分解が繰り返されても、縁部材２１と透視部材２６との接着が剥がれる虞がない。これとともに、腕時計１１の組立て及び分解において胴１３と縁部材２１の縁部２２との間に工具が差し込まれて縁部材２１がこじ開けられることがない。そのため、腕時計１１の組み立てと分解が繰り返されても縁部２２と胴１３とが傷つけられる虞もない。更に、腕時計１１の組み立てと分解が繰り返されても、縁部材２１を胴１３に固定する機能を損なうような損耗を生じないので、分解後の再組み立ての信頼性が高い。
【０１４３】
図１４は本発明の第４の実施の形態を示している。この第４の実施の形態に係る腕時計の構成は以下の説明を除いて第１の実施の形態と同じである。このため、第１の実施の形態に係る腕時計１１と同じか類似の構成又は同一の機能を奏する構成については、第１の実施の形態と同一符号を付して説明を省略する。第４の実施の形態は、受け部と引っ掛け部位が第１の実施の形態とは異なっている。
【０１４４】
即ち、縁部材２１が有する円筒部２３の外周には、受け部２４がケース１２の厚み方向に複数形成されている。具体的には、第３の実施の形態では、円筒部２３の外周に設けられた雄ねじ部で受け部２４が形成されている。なお、受け部２４として互いに平行な凹凸部を円筒部２３の外周に形成することもできる。この場合、受け部２４としての凹凸部を円筒部２３の周方向に延びる複数の領域に分ける凹部（この凹部は第１の実施の形態で説明した凹部２８に相当する。）を、円筒部２３の周方向に複数設けて実施すればよい。
【０１４５】
引き込み部材６２が有する引っ掛け部位６６ｂも、ケース１２の厚み方向に複数形成されている。具体的には、第４の実施の形態では、係合部ベース６６ａの先端部内周に設けられた雌ねじ部で引っ掛け部位６６ｂが形成されている。なお、引っ掛け部位６６ｂとして互いに平行な凹凸部を係合部ベース６６ａの先端部内周に形成することもできる。この場合、係合部ベース６６ａの数は前記凹部と同数であるとともに、これらの凹部を引っ掛け部位６６ｂはケース１２の厚み方向に通過することが可能に形成して実施すればよい。
【０１４６】
そして、円筒部２３の外周に設けられた受け部２４と引き込み部材６２に設けられた引っ掛け部位６６ｂとの夫々は、例えば螺合されて図１４に示すようにケース１２の厚み方向に互いに引っ掛かっている。
なお、以上説明した構成以外は、図１４に示されない構成を含めて第１の実施の形態と同じである。
【０１４７】
この第４の実施の形態に係る腕時計１１によれば、第１の実施の形態で説明した理由と同じ理由により、透視部材２６を支持した縁部材２１の幅Ｈが狭い腕時計１１を提供できるとともに、第１の実施の形態で説明した実施形態に係るすべての作用効果を得ることができる。加えて、第４の実施の形態に係る腕時計１１によれば、ケース１２の厚み方向の複数個所で受け部２４と引っ掛け部位６６ｂとが引っ掛かっていることにより、受け部２４と引っ掛け部位６６ｂとの出幅が小さくても、これらの引っ掛かりの信頼性が高められる。そのため、引き込み機構６１による胴１３への縁部材２１の取付けをより確実にできる。
【０１４８】
図１５は本発明の第５の実施の形態を示している。この第５の実施の形態に係る腕時計の構成は以下の説明を除いて第１の実施の形態と同じである。このため、第１の実施の形態に係る腕時計１１と同じか類似の構成又は同一の機能を奏する構成については、第１の実施の形態と同一符号を付して説明を省略する。第５の実施の形態は、胴１３及びねじ手段であるねじ６９等が第１の実施の形態とは異なっている。
【０１４９】
即ち、第５の実施の形態において、胴１３は裏蓋部３１ａを一体に有している。これに伴い、第１の実施の形態で説明したパッキン溝１７は省略されている。更に、胴１３が有する胴底部１４に形成された複数の通孔１５（一個のみ図示する。）は、胴１３の裏面に開放された着座凹部１５ａを有して形成されている。
【０１５０】
通孔１５と同数のねじ６９（一本のみ図示する。）の夫々の不完全ねじ部の外周に、防水パッキン１８が嵌合された状態で取付けられている。この防水パッキン１８は、第１の実施の形態で説明したパッキン溝１７に取付けられた防水パッキンに相当する。各ねじ６９は、ケース１２の厚み方向に着座凹部１５ａから引き込み部材６２のねじ孔６５に達する長さを有している。
【０１５１】
そして、防水パッキン１８が取付けられたねじ６９は、胴１３の外側から通孔１５に挿入されて、引き込み部材６２のねじ孔６５にねじ込まれる。それにより、アセンブリＡが胴１３に引き込まれて、縁部材２１が胴１３に取付けられている。腕時計１１の組立てが完了された状態で、ねじ６９の頭部６９ａは着座凹部１５ａの底面に接した状態となり、この頭部６９ａは胴１３の背面、つまり、ケース１２の背面に露出されている。これとともに、防水パッキン１８は、圧縮状態に弾性変形され、通孔１５を区画する壁面に密接されていて、ケース１２内への防水を確保している。
なお、以上説明した構成以外は、図１５に示されない構成を含めて第１の実施の形態と同じである。
【０１５２】
この第５の実施の形態に係る腕時計１１によれば、第１の実施の形態で説明した理由と同じ理由により、透視部材２６を支持した縁部材２１の幅Ｈが狭い腕時計１１を提供できるとともに、ねじ手段がケース１２に内蔵されていることを理由として第１の実施の形態で説明した作用効果を除いて、その他、第１の実施の形態で説明したすべての作用効果を得ることができる。加えて、第５の実施形態に係る腕時計１１によれば、ねじ６９の頭部６９ａがケース１２外に露出されているので、ケース１２の背面の所定位置にねじ６９の頭部６９ａがあるか否かを視認できる。それにより、検品作業等でのねじ６９の取付け忘れの確認が容易である。
【０１５３】
なお、本発明は、第１〜第５の実施の形態で説明した腕時計に実施を制約されるものではなく、人体の腕に装着されない時計例えば置き時計や壁掛け時計等にも適用することができる。また、人体の腕に装着して使用される腕装着型機器、例えばスマートウォッチに本発明は適用可能であり、その適用によりスマートウォッチが備える縁部材の幅を狭くすることができる。ここで、スマートウォッチとは、例えばムーブメントが電子回路で構成され、このムーブメントの作動によって、表示盤に時刻や文字その他の情報を表示できる構成であって、時計機能を有する携帯型の電子機器を指している。
【０１５４】
更に、第３の実施の形態で説明した引き込み機構６１の構成を第２、第４の各実施の形態に適用して、第２、第４の各実施の形態を実施することも可能である。また、第５の実施の形態で説明した引き込み機構６１の構成を第１、第２、第４の各実施の形態に適用して、第２、第４の各実施の形態を実施することも可能である。
【符号の説明】
【０１５５】
１１…腕時計（時計）
１２…ケース
１３…胴
１３ａ…縁受け面
１３ｃ…胴の内周面
２１…縁部材
２２…縁部
２３…円筒部
２３ａ…円筒部の内周面
２３ｂ…円筒部の板受け面
２４…受け部
２４ａ…係合溝
２４ｂ…受け部ベース
２４ｃ…係止部位
２６…透視部材
２８…凹部
３１…裏蓋
３２ａ…雄ねじ部（ねじ手段）
５１…ムーブメント
５３…文字盤（表示盤）
６１…引き込み機構
６２…引き込み部材
６３…板部
６５…ねじ孔
６６…係合部
６６ａ…係合部ベース
６６ｂ…引っ掛け部位
６８…環状筒部
６８ａ…環状筒部の雌ねじ部
６９…ねじ（ねじ手段）
６９ａ…ねじの頭部
Ａ…アセンブリ
Ｄ…表示径
Ｈ…縁部材の幅
【図１】
0006608714.tif 000002
【図２】
0006608714.tif 000003
【図３】
0006608714.tif 000004
【図４】
0006608714.tif 000005
【図５】
0006608714.tif 000006
【図６】
0006608714.tif 000007
【図７】
0006608714.tif 000008
【図８】
0006608714.tif 000009
【図９】
0006608714.tif 000010
【図１０】
0006608714.tif 000011
【図１１】
0006608714.tif 000012
【図１２】
0006608714.tif 000013
【図１３】
0006608714.tif 000014
【図１４】
0006608714.tif 000015
【図１５】
0006608714.tif 000016